(57)【要約】  流動可能な食料製品を充填された包装材料のチューブ（２）から無菌密封包装体を製造するための形成密封ユニット（１）は、固定構造体（３）と、包装材料のチューブ（２）に対して交互かつ周期的に作用する２つの形成アセンブリ（５、５’）とを備え、形成アセンブリ（５、５’）はそれぞれの対のジョー（７）を有し、ジョー（７）は、開位置と、それぞれの密封手段（１３、１４）の間に包装材料のチューブ（２）を把持する閉位置との間で移動可能である。ジョー（７）はまたそれぞれの形成フラップ（２１）を有し、その形成フラップ（２１）は、異なる形式の包装体を製造するために異なる形式の形成フラップ（２１ａ、２１ｂ）から選択可能であって、包装材料のチューブ（２）を囲んで包装体の体積および形状を定めるハーフ・シェル形成部分（２２）を有する。包装材料のチューブ（２）へ向かう形成フラップ（２１）の接近運動は、使用される形成フラップ（２１ａ、２１ｂ）の形式に応じて形成フラップ（２１）のカム・フォロア・ローラ（３０）によって選択的に係合される異なる作用輪郭（３７，３８）を有する固定カム手段（２５）によって制御される。
2007509008.tif 000002
【特許請求の範囲】
【請求項１】
流動可能な食料製品を充填されて垂直な通路（Ａ）に沿って供給される包装材料のチューブ（２）から食料製品の無菌密封包装体を製造するための形成密封ユニット（１）であって、固定構造体（３）と、包装材料の前記チューブ（２）に対して周期的に作用する形成手段（５、５’）とを備え、前記形成手段（５、５’）が、密封手段（１３、１４）を有していて開位置と閉位置の間で移動可能であり、閉位置で前記密封手段（１３、１４）が包装材料の前記チューブ（２）と協働するようにする少なくとも２対のジョー（７）と、前記ジョー（７）のそれぞれによって担持され、それぞれがハーフ・シェル形成部分（２２）を有するそれぞれの対の形成フラップ（２１）とを有し、前記形成フラップ（２１）が、前記チューブ（２）と協働しない後退位置と、関連するジョー（７）の前記閉位置で前記それぞれのハーフ・シェル形成部分（２２）が前記チューブを囲んで所定の体積の空間を形成する前進位置との間で移動可能になっており、また、固定カム手段（２５）と、前記形成フラップ（２１）によって担持され、前記固定カム手段（２５）と協働して前記後退位置から前記前進位置への前記形成フラップ（２１）の動作を制御するカム・フォロア手段（３０）とを備えているユニット（１）において、
前記形成フラップ（２１）が、寸法が異なりそれぞれの形式の包装体を製造するためのいくつかの形式の形成フラップ（２１ａ、２１ｂ）から選択可能であり、また前記固定カム手段（２５）が、使用される形成フラップ（２１ａ、２１ｂ）の形式に応じて前記カム・フォロア手段（３０）が選択的に係合可能である異なる作用輪郭（３７、３８）を形成されていることを特徴とするユニット。
【請求項２】
前記固定カム手段が、前記形成手段（５、５’）の両側に配置された２つのカム制御アセンブリ（２５）を備え、前記カム・フォロア手段が、各形成フラップ（２１）に対して前記形成フラップ（２１）のそれぞれから側方へ延び、前記カム制御アセンブリ（２５）のそれぞれと協働する２つのカム・フォロア・ローラ（３０）によって形成されることを特徴とする請求項１に記載のユニット。
【請求項３】
前記カム制御アセンブリ（２５）のそれぞれが、包装材料の前記チューブ（２）に向かう前記形成フラップ（２１）の接近動作を制御するための上部カム（３５）と、包装材料の前記チューブ（２）の周りの前記形成フラップ（２１）の閉動作を制御する２つの下部カム（３６）とを備えることを特徴とする請求項２に記載のユニット。
【請求項４】
前記カム制御手段（２５）の異なる作用輪郭（３７、３８）が前記上部カム（３５）に形成されることを特徴とする請求項３に記載のユニット。
【請求項５】
前記上部カム（３５）が平板によって形成され、前記異なる作用輪郭（３７、３８）が前記上部カム（３５）の厚みの方向にずれた前記上部カム（３５）の側縁部（３９）によって形成されることを特徴とする請求項４に記載のユニット。
【請求項６】
異なる形式の形成フラップ（２１ａ、２１ｂ）の前記カム・フォロア・ローラ（３０）が、前記上部カム（３５）のそれぞれの作用輪郭（３７、３８）と協働するように異なる距離（Ｄ、ｄ）だけ離れていることを特徴とする請求項５に記載のユニット。
【請求項７】
前記下部カム（３６）が、異なる形式の形成フラップ（２１ａ、２１ｂ）に対して共通の作用輪郭を有することを特徴とする請求項３から６までのいずれか一項に記載のユニット。
【発明の詳細な説明】
【技術分野】
【０００１】
本発明は流動可能な食料製品を包装するための機械用の形成密封ユニットに関する。
【背景技術】
【０００２】
フルーツ・ジュース、ワイン、トマト・ソース、低温殺菌又は長期保存（ＵＨＴ）牛乳、等の流動可能な食料製品を包装する機械が知られており、その機械では、長手方向に密封されたウェブ（ｗｅｂ）によって形成された包装材料の連続したチューブから包装体が形成される。
【０００３】
包装材料は、紙材料の層の両側が例えばポリエチレンなどのヒート・シール材の層で覆われた多層構造を有する。ＵＨＴ牛乳などの長期保存製品用の無菌包装体の場合には、包装材料は、例えばアルミニウム・ホイルによって形成されたバリア材の層を備え、その層は、ヒート・シール・プラスチック材の層の上に重ね合わせられ、最終的に食料製品に接触する包装体の内面を形成するヒート・シール・プラスチック材の別の層で覆われる。
【０００４】
無菌包装体を製造するために、包装材料のウェブは、リールから繰り出され、無菌チャンバを通って供給され、例えば過酸化水素などの殺菌剤を施すことによってそのチャンバ内で殺菌され、殺菌剤は加熱によって及び／又は包装材料を適切な波長及び強度の放射線に曝すことによって後に蒸発される。次いで殺菌されたウェブは、円筒形に巻かれて、長手方向に密封され、公知の方法で連続する長手方向に密封された垂直のチューブを形成する。換言すれば、包装用材料のチューブは、無菌チャンバの延長を形成し、流動可能な食料製品を連続的に充填され、次いで個々の包装体を製造するために形成（横方向）密封ユニットに供給される。そこで材料は、対をなすジョー（ｊａｗ）の間に把持され、ジョーがチューブを横方向に密封してピロー・パックを形成し、次いでピロー・パックがパック間の密封部を切断することによって切り離される。
【０００５】
より具体的には、ジョーの間で圧縮されたチューブ部分は、電磁誘導又は超音波加熱手段等のジョーによって担持された加熱手段によって横方向に同時に密封される。密封が完了した後、包装材料のチューブを密封部分の中央に沿って切断するために、ナイフが作動され、チューブの下端部からピロー・パックを分離する。したがって、下端部は横方向に密封され、ジョーは、チューブ及び他の対のジョーとの干渉を避けるために開かれる。同時に、他の対のジョーが同様に作動され、上死点位置から下に移動し、上記した把持／形成、密封、及び切断動作を繰り返す。
【０００６】
次いでピロー・パックは、仕上げ折り畳みステーションに搬送され、そこでパックは完成された包装を形成するために機械的に折り畳まれる。
【０００７】
公知のユニットは、各対のジョーに関して、そのジョーに蝶番式に取り付けられ、後退位置即ち開位置と、前進位置即ち閉位置との間で移動可能な２つの対面する形成フラップをも備える。その閉位置では、ジョーが閉じられたときに形成フラップは互いに密着し、それらの間に、形成される包装体の形状及び体積を定める空間（キャビティー）を形成する。
【０００８】
公知の解決策では、形成フラップの閉動作は、機械構造体に固定されたカムによって制御される。そのカムは、所定の形式の包装体を製造するように特定の寸法および配列になっていて、タブによって担持されたそれぞれのローラと相互作用するようになっている。
【０００９】
上記形式の機械はこれまで、商業的に非常に成功し、長年使用した後でも殆ど保守を必要としないほど、非常に信頼性の高いことが証明されている。
【００１０】
一方で、特にかなり融通性のない生産性によって生じるいくつかの欠点を有する。
【００１１】
すなわち、上記形式の機械が異なる体積の包装体を製造するのに適したものにすることが可能になるには、機械に大きな変更をした場合のみである。その変更には、ジョーの形成フラップの交換、全ての部品（カム等の静止部品をも含む）の交換、タブの閉動作の制御、およびその後の新しいシステムの調整が含まれる。したがって、そのような変更は、新しい構成部品の製造費用に加えて、かなりの作業休止期間をもたらす。
【００１２】
上記した問題に対する１つの解決策は、ＥＰ−Ａ−１  １０１  ７００に記載されている。すなわち、この公報は、包装材料のチューブ上への形成フラップの閉動作が、形成フラップ自体によって担持されてユニット構造体に固定されたローラと相互作用するカムによって制御され、したがって機械の静止部品に対する作業を全く必要とせずに、（特定のタイプの包装に対して設計され、いずれにせよそれぞれの生産の変更において変更される必要のある）形成フラップを変更することのみによって製造される包装体の体積を変更できるようにした形成密封ユニットを記載している。（特定タイプの包装体用に設計される形成フラップは、いずれにせよ、製造の変更の都度、変更する必要がある。）
【００１３】
しかしながら、上記解決策にも欠点が無いわけではない。すなわち、形成フラップの閉動作を制御するカムがタブ自体に取り付けられることが、移動構成部品の重量を増加させるために、動的な問題を生じて生産性に制限を加える。さらに、システムの幾何形状が、カムによる干渉を防止するための動作に重大な制限を加える。
【発明の開示】
【発明が解決しようとする課題】
【００１４】
本発明の目的は、公知のユニットに関連する上記した問題を無くすように設計された形成密封ユニットを提供することである。
【課題を解決するための手段】
【００１５】
本発明によれば、請求項１に記載された形成密封ユニットが提供される。
【００１６】
本発明の好ましい、非限定的な実施例が、添付の図面を参照して例として説明される。
【実施例】
【００１７】
図１及び２を参照すると、符号１は、低温殺菌又はＵＨＴ牛乳、フルーツ・ジュース、ワイン等の、流動可能な食料製品を包装するための機械用の形成密封ユニットを全体として示している。
【００１８】
より具体的には、ユニット１は、包装材料のチューブ２（図１）から流動可能な食料製品の無菌密封包装を製造するように設計される。上記チューブ２は、加熱密封シート材のウェブを長手方向に折り重ねて密封することによって形成され、ユニット１より上流側で包装する食料製品を充填される。
【００１９】
チューブ２は、軸線Ａによって画定される垂直の通路に沿って、公知の態様でユニット１に供給される。
【００２０】
ユニット１は、軸線Ａを通るユニットの垂直縦方向の中央平面αに対して対称に配置された２つの垂直ガイド４を形成する支持構造体３を備え、それら垂直ガイドの軸線は、ユニット１の垂直横断方向の中央平面τにある。したがって軸線Ａは、平面αと平面τとの交差部分を形成する。
【００２１】
ユニット１は、公知の態様でそれぞれのガイド４に沿って垂直に移動可能な２つの形成アセンブリ５、５’を備え、それらアセンブリは、包装材料のチューブ２をチューブの横部分に沿って把持し加熱密封するために、交互にチューブ２と相互作用する。
【００２２】
アセンブリ５、５’は、平面αに対して対称であり、そのうちの１つのみ（アセンブリ５）が図２に詳細に示され、以下に説明される。そのアセンブリは公知であるため、本発明を明確に理解するために適した部品のみが説明される。アセンブリ５、５’の対応する部品は同じ符号を使用して図示されている。
【００２３】
図２を参照すると、アセンブリ５は実質的に、それぞれのガイド４に沿って摺動するスライド６と、平面τに対して対称なそれぞれの平行な水平軸線８の周りにおいて下部のところでスライドに対して蝶番式に取り付けられ、実質的に「書籍の形式で」開閉するようになっている２つのジョー７とを備える。
【００２４】
より具体的には、各ジョー７は実質的に、適切にリブを付された四角形の板（図１）の形態の主要制御本体９を備えている。その本体はそれぞれの軸線８を含むジョーの作用面βに沿って延び、下部側の近くでスライド６に蝶番式に取り付けられている。また、各ジョー７は、本体９の面から平面τから離れる方向へ突出するそれぞれの制御アーム１０を備える。
【００２５】
ジョー７は、それぞれのジョー７のそれぞれの本体９の上端部に固定されたそれぞれの支持アーム１１をも備える。それら支持アームは、チューブ２の両側に位置されるように、それぞれの軸線８に平行な方向に向かうとともに実質的にそれぞれの作用面βに沿って、平面αに向かいかつそれを超えて、突出する。
【００２６】
アーム１１の突出部分には、チューブ２と相互作用する、棒形状のそれぞれの密封部材１３、１４（図２）が取り付けられている。その、密封部材は、例えば包装材料のアルミニウム層に電流を発生させて熱可塑性樹脂層を溶解するジュール効果を生じる誘導子、及び所要の圧力でチューブを把持するコントラスティング・パッド（ｃｏｎｔｒａｓｔｉｎｇ  ｐａｄ）によって形成可能である。
【００２７】
スライド６の往復運動及びジョー７の開閉動作は、ロータリー・カム又はサーボモータによって制御される対をなす垂直ロッド（図示せず）によって、ここには記載しない公知の方法で制御される。
【００２８】
ジョー７は、それぞれの密封部材１３、１４がチューブ２を把持する閉位置（図示せず）と全開位置（図２）との間で移動可能である。
【００２９】
それぞれの密封部材１３、１４の上方で、ジョー７のアーム１１には、それぞれの包装体積制御アセンブリ２０が取り付けられる。
【００３０】
各アセンブリ２０は、平面τに対して対称なそれぞれの平行な水平軸線Ｂの周りでそれぞれのジョー７に対して蝶番式に取り付けられ、包装体を形成するときに互いに協働してチューブ２を封止し、チューブを完成した包装体の形状に対応する四角形断面の形状に形成する２つの形成フラップ２１を備える。
【００３１】
図４、６及び５、７はそれぞれ、異なる体積の包装体を形成するための、それぞれ２１ａ及び２１ｂで示される形成フラップ２１の２つの異なる例を示す。より具体的には、タブ２１ｂは、２００ｍｌ「ポーション・パック」と呼ばれるものなどの小さな包装体を形成するように設計され、タブ２１ａは、より大きな、例えば１リットル包装体を形成するように設計されている。
【００３２】
両者に共通する特徴を記載するときには、特に区別して記載しない限り、形成フラップ２１ａ及び２１ｂを、一括してタブ２１と称することにする。
【００３３】
形成フラップ２１はそれぞれ、製造される包装体の半分と実質的に同じ形状及び体積の空洞２３を形成するハーフ・シェル（ｈａｌｆ−ｓｈｅｌｌ）部分２２、及びハーフ・シェル部分の両側から延び、図３、６、及び７に示され後に詳記するそれぞれのカム制御アセンブリ２５と協働する２つの側方制御アーム２４を備える。
【００３４】
より具体的には、ハーフ・シェル部分２２は、その下端部に沿って軸線Ｂの周りでそれぞれのジョー７に蝶番式に取り付けられた後部壁２８と、後部壁２８の両側から前方に突出し、チューブ２に向かってまたその周りに移動するときに相補的なハーフ・シェル部分２２と干渉するのを回避するために、公知の方法でハーフ・シェル部分２２の下端部に向かって高さが次第に低くなる２つの側方壁２９とを備える。
【００３５】
制御アーム２４は軸線Ｂに平行に延び、その端部に、軸線Ｂに平行な軸線Ｃを有するそれぞれのカム・フォロア・ローラ３０が取り付けられている。
【００３６】
図４と５の比較から理解できるように、タブ２１ａと２１ｂは、それぞれのハーフ・シェル部分２２の形状及び寸法に加えて、ローラ３０の間の距離も異なっている。より具体的には、タブ２１ａのローラ３０は、タブ２１ｂのローラ３０の間の距離よりも大きい距離Ｄ（例えばローラの中央横断面の間で測定された距離）だけ隔てられている。
【００３７】
各形成フラップ２１は、図示されない弾性手段によって公知の方法で、調整可能な停止装置（図示されない）によって定められる前進位置即ち閉位置に押圧される。その閉位置では、後部壁２８は実質的にそれぞれのジョー（図２）の作用面βに実質的に平行である。弾性手段及び抑止デバイスの１つの例は、ＥＰ−Ａ−１  １０１  ７００に示されている。
【００３８】
包装材料のチューブ２に向かいかつそのチューブ２の周りでの形成フラップ２１の接近及び閉動作は、公知の方法で２つのカム制御アセンブリ２５によって制御される。そのアセンブリは、構造体３に固定されて形成アセンブリ５、５’と並んで配置され、ジョー７（図６及び７）の動作中に形成フラップ２１のローラ３０と相互作用するようになっている。
【００３９】
カム制御アセンブリ２５は、それぞれタブ２１の接近動作を制御するための上部カム３５と、タブの閉動作を制御するための２つの下部カム３６とを備える。
【００４０】
カム３５は、平面αに平行な平板によって形成され、それぞれタブ２１ａのローラ３０、及びタブ２１ｂのローラ３０と協働する２対の作用輪郭３７、３８（図３、６、７）を形成されている。
【００４１】
作業輪郭３７及び３８は、カム３５の側縁部３９によって形成され、２つの輪郭３７及び２つの輪郭３８は、平面τに対して互いに対称である。
【００４２】
２つのカム制御アセンブリ２５のカム３５は、平面αに対して対称である。各カム３５の輪郭３７及び３８は、カム３５の厚みの方向にずれた縁部３９のそれぞれの長手方向の帯状部によって形成される。換言すれば、輪郭３７と３８とは、平面αから異なる距離の位置にある。その距離(輪郭３８に対する距離より輪郭３７に対する距離のほうが大きい)は、タブ２１ａのローラ３０が輪郭３７と協働し、またタブ２１ｂのローラ３０が輪郭３８と協働するように（図６及び７それぞれ）計算されている。また、形成フラップ２１の最大開き角が、軸線ＣとＢ（図４及び５）の間の距離と関係ないようにすることもできる。
【００４３】
実質的に寸法は異なるが、輪郭３７及び３８は、形状が同様であり、それぞれは、平面τからの距離が下方へ徐々に減少する湾曲した凹型の上部入口部分４２と、直線垂直中間部分４３と、平面τに対して下方へ距離が小さくなる直線傾斜下部出口部分４４を備えることができる。
【００４４】
そのローラ３０がより接近しているタブ２１ｂの輪郭３８は、タブ２１ａのローラ３０とタブ２１ｂの輪郭３８との間の干渉を避けるように、平面αに垂直な方向に見たときに、輪郭３７によって画定される領域の内側に都合よく存在する。
【００４５】
各アセンブリ２５の下部カム３６は、上部カム３５の出口に配置され、それぞれが、平面τに対して下方に距離が小さくなる上部４６と、実質的に平面τに平行な下部４７を備える。上部４６は、タブ２１のローラ３０が上部カム３５から開放されたときにタブ２１のそれぞれのローラ３０を捕捉するように、カム３５の出口部分４４の両側に配置されている。
【００４６】
上部カム３５とは異なり、下部カム３６は、タブ２１ａ及びタブ２１ｂの両方のローラ３０と協働するのに十分広い単一の作用輪郭を有していてもよいことがテストにより証明された。
【００４７】
しかしながら、部分４７は、タブ２１ａのローラ３０と協働するように設計された輪郭部分の延長部４８を有する。その延長部は、製造される包装体の寸法がより大きいために、チューブ２とより長く相互作用する。実際には、ローラ３０は、後に詳記するように、２つの上方のジョー７が完全に閉鎖するまでカム３６の内側に維持される必要がある。
【００４８】
形成密封ユニット１は以下のように動作する。
【００４９】
チューブ２を横方向へ密封するジョー７の動作は公知であるため、簡単に下記することにする。
【００５０】
各アセンブリ５、５’のジョー７は、アセンブリが下降すると、チューブ２の移動速度と等しい下方への垂直運動成分を有してチューブ２を把持するように閉鎖する。ジョー７は、下降すると閉じたままにされ、密封部材１３、１４は、チューブをヒート・シールするのに十分な圧力でチューブを把持する。下死点付近の位置で、ジョー７は、チューブ２を開放するために開き、チューブが上昇して上死点に達する前に完全に開く。その位置で、ジョーは上記したように再び閉鎖し始める。
【００５１】
２つのアセンブリ５、５’の動作は、明確に半周期だけずれている。すなわちアセンブリ５が上昇してジョー７が開くと同時にアセンブリ５’が下降してジョーが閉じ、したがって、アセンブリ５’のアーム１１が、アセンブリ５のアームの間を通り、後者のアームと干渉しない。
【００５２】
ジョー７の形成フラップ２１は、ジョーの作動に合わせて包装材料のチューブ２と相互作用し、タブ２１のチューブ２に向かっての接近及びその周りでの閉動作は、形成フラップ２１のローラ３０と相互作用する上部カム３５及び下部カム３６によってそれぞれ制御される。
【００５３】
上記の動作は、実質的に公知であるため、簡単に下記する。
【００５４】
チューブがタブ２１によって接触される前に密封部材１３，１４が最初にチューブ２に接触するときに、形成フラップ２１のローラ３０は、上部カム３５（図６及び７の上半分）の上部入力部分４２と接触する。したがって、タブ２１は部分４２に沿って徐々に移動し、後退位置即ち又は開位置（図示せず）にくる。その位置は、上部カム３５の垂直の中間部分４３に沿って維持され、この時までに閉じているジョー７の動作もそれに沿って完全に垂直である。
【００５５】
カム３５の出口部分４４に沿って、タブ２１は、それぞれのばね（図示せず）の制御の下で徐々にチューブ２の周りに閉鎖される。チューブ２の内圧に抵抗して形成される包装体の体積を正確に定めるために、カム３５のすぐ下流側のところで、形成フラップ２１の動作の制御がカム３６によって引き継がれる。図６の下半分は、タブ２１が完全に閉鎖された状態を示しており、その状態は、カム３６の下方部４７に沿って生じる。その状態ではハーフ・シェル部分２２が完全にチューブ２を囲んで実質的に密着し、それらハーフ・シェル部分によって定められる内側の空間の形状及び体積をチューブ２に与える。
【００５６】
タブ２１は、ローラ３０が下部カム３６から離れるまで上記の閉位置に確実に固定される。
【００５７】
このことは、他方の形成アセンブリ５’のジョー７が次のシール部分でチューブ２を既に把持して形成中の包装体を閉じたときに生じる。したがって、アセンブリ５のジョー７は、開いて形成フラップ２１を包装体から離れることができる。
【００５８】
本発明による形成密封ユニット１の利点は、上記の説明から明らかである。
【００５９】
特に、本発明によれば、使用されるタブ２１ａ、２１ｂの形式に応じてカム・フォロア・ローラ３０によって選択的に係合される異なる作用輪郭３７、３８を有する固定カムによって形成フラップ２１の動作が制御される。したがって、製造される包装体の体積は、単にタブ２１を交換することによって修正でき、それに伴う機械の静止部分に必要な作業は全くない。（特定の形式の包装体のために設計されるタブは、いずれにしても、製造の変更の都度、変更する必要がある。）
【００６０】
カム３５が固定されており、タブ２１は、単にカム・フォロア・ローラ３０を支持しているだけで、従来のタブと同一であるために、移動重量の増加、したがって動的問題及び生産性の制限を伴わずに、融通性のある製造が行われる。
【００６１】
また、移動部分（タブ２１）の寸法及びジョー装置の複雑さも減じられ、異なる容器の形態としてさらに標準化された、異なる構成の機械の構成要素を導入できる。
【００６２】
特許請求の範囲から逸脱することなく本明細書に記載したユニットに変更を加えることができることは明らかである。
【００６３】
特に、ユニットが２つより多くの形式の包装体を製造する必要がある場合には、カム３５が２つより多くの異なる輪郭を有するようにすることができる。
【００６４】
さらに、ユニット１は、交互のジョーではなく、チェーン形式のものであってもよい。すなわち、それぞれの連続的に移動するチェーンを形成するように連結された２つのグループのジョー及び協働ジョーを有し、１つのチェーンの１つのジョーと、他のチェーンの対応する協働ジョーとが周期的に包装材料のチューブに係合するようにしてもよい。
【図面の簡単な説明】
【００６５】
【図１】本発明の教示による、流動可能な食料製品を包装するための機械用の形成密封ユニットの概略正面図である。
【図２】図１のユニットの形成密封アセンブリの概略部分側面図である。
【図３】図１のユニットのカム制御アセンブリの部分斜視図である。
【図４】第１の包装体を製造するための、図１のユニットで使用可能な形成フラップの正面図である。
【図５】異なる体積の第２の包装体を製造するための、図１のユニットで選択的に使用可能な形成フラップの正面図である。
【図６】図４に示した形成フラップを取り付けられた形成密封ユニットを、明確化のために諸部品を除去して示す部分斜視図である。
【図７】図５に示した形成フラップを取り付けられた形成密封ユニットを、明確化のために諸部品を除去して示す部分斜視図である。
【図１】
2007509008.tif 000003
【図２】
2007509008.tif 000004
【図３】
2007509008.tif 000005
【図４】
2007509008.tif 000006
【図５】
2007509008.tif 000007
【図６】
2007509008.tif 000008
【図７】
2007509008.tif 000009
【国際調査報告】
2007509008.tif 000010
2007509008.tif 000011